(57)【要約】      （修正有）【課題】複数台のヒートポンプ式熱源機の相互の連結作業を容易に行えるヒートポンプ式熱源機を提供すること、施工工数と部品点数を低減することで設備コストを低減可能なヒートポンプ式熱源機を提供すること。【解決手段】ヒートポンプ式熱源機１１は、外装ケース１９内に圧縮機と蒸発熱交換器と膨張手段と湯水加熱用熱交換器とを備え且つこれらを冷媒配管で接続され、外装ケース１９に、湯水加熱用熱交換器に接続された往き側と戻り側とを対とする湯水接続口であって、外部からの湯水循環用配管４が接続される複数対の湯水接続口が設けられ、複数対の湯水接続口は、外装ケース１９の異なる複数の面に設けられ、外装ケース１９は直方体状に構成され、異なる複数の面は、少なくとも外装ケース１９の左右の側面である。【選択図】図４
2014047945.tif 000002
【特許請求の範囲】
【請求項１】
外装ケース内に圧縮機と蒸発熱交換器と膨張手段と湯水加熱用熱交換器とを備え且つこれらを冷媒配管で接続したヒートポンプ式熱源機において、
前記外装ケースに、前記湯水加熱用熱交換器に接続された往き側と戻り側とを対とする湯水接続口であって、外部からの湯水循環用配管が接続される複数対の湯水接続口が設けられ、
前記複数対の湯水接続口は、前記外装ケースの異なる複数の面に設けられたことを特徴とするヒートポンプ式熱源機。
【請求項２】
前記外装ケースは直方体状に構成され、
前記異なる複数の面は、少なくとも前記外装ケースの左右の側面であることを特徴とする請求項１に記載のヒートポンプ式熱源機。
【請求項３】
前記湯水接続口は、少なくとも２以上の直交する方向に対して突出した複数の分岐接続口を備えたことを特徴とする請求項１又は２に記載のヒートポンプ式熱源機。
【発明の詳細な説明】
【技術分野】
【０００１】
本発明はヒートポンプ式熱源機に関し、特に複数台のヒートポンプ式熱源機の相互の連結作業を容易に行えるように構成したものに関する。
【背景技術】
【０００２】
従来、商業施設、ホテルや総合病院等の大・中規模の各種建物に使用される大能力の給湯システムが実用に供されている。この種の大能力の給湯システムには、多数の給湯箇所から同時にお湯が使用された場合であっても、この給湯負荷に余裕を持って対応する特殊な熱源機ユニットが必要とされている。
【０００３】
上記のような大能力の給湯システムを構築する為に、例えば、特殊な熱源機ユニットとして複数台のヒートポンプ式熱源機を並列状に連結し、これらヒートポンプ式熱源機を併用運転することで大容量の高温の湯水を給湯可能にしている場合がある。このような複数台のヒートポンプ式熱源機を相互に連結する為の配管連結構造については、種々の文献で開示されている。
【０００４】
例えば、特許文献１の配管連結構造においては、複数台のヒートポンプ式熱源機が水平方向又は鉛直方向に直線状に設置され、各ヒートポンプ式熱源機の低温用配管と高温用配管（１対の湯水接続口）が、複数の配管モジュールを介して貯湯ユニット側から延びる往き側循環配管と戻り側循環配管に夫々連結されている。この配管モジュールは、所定の形状（例えば、Ｔ字状）に形成された管体と、この管体の端部に装着された継手とから構成され、複数の配管モジュールを互いに連結させることで配管連結構造を構成している。
【先行技術文献】
【特許文献】
【０００５】
【特許文献１】特開２０１２−１２７４８６号公報
【発明の概要】
【発明が解決しようとする課題】
【０００６】
ところで、従来のヒートポンプ式熱源機では、貯湯タンク側から延びる湯水循環用配管を接続する為の１対の湯水接続口は、直方体状の外装ケースの１つの側面にしか設けられていない。従って、複数台のヒートポンプ式熱源機を相互に連結する為には、特許文献１のようなヒートポンプ式熱源機の配置パターンに応じた特別な形状の複数の配管モジュールを採用する必要がある。
【０００７】
しかし、上記のような複数台のヒートポンプ式熱源機に複数の配管モジュールを取り付けて配管連結構造を構成する為には、施工現場において配管モジュールを複数の管部材から組み立てる必要性があり、施工工数が多くなって手間が掛かる上、部品点数が増加して設備コストがかかるという問題がある。
【０００８】
本発明の目的は、複数台のヒートポンプ式熱源機の相互の連結作業を容易に行えるヒートポンプ式熱源機を提供すること、施工工数と部品点数を低減することで設備コストを低減可能なヒートポンプ式熱源機を提供すること、などである。
【課題を解決するための手段】
【０００９】
請求項１のヒートポンプ式熱源機は、外装ケース内に圧縮機と蒸発熱交換器と膨張手段と湯水加熱用熱交換器とを備え且つこれらを冷媒配管で接続したヒートポンプ式熱源機において、前記外装ケースに、前記湯水加熱用熱交換器に接続された往き側と戻り側とを対とする湯水接続口であって、外部からの湯水循環用配管が接続される複数対の湯水接続口が設けられ、前記複数対の湯水接続口は、前記外装ケースの異なる複数の面に設けられたことを特徴としている。
【００１０】
請求項２のヒートポンプ式熱源機は、請求項１の発明において、前記外装ケースは直方体状に構成され、前記異なる複数の面は、少なくとも前記外装ケースの左右の側面であることを特徴としている。
【００１１】
請求項３のヒートポンプ式熱源機は、請求項１又は２の発明において、前記湯水接続口は、少なくとも２以上の直交する方向に対して突出した複数の分岐接続口を備えたことを特徴としている。
【発明の効果】
【００１２】
請求項１の発明によれば、外装ケースに、湯水加熱用熱交換器に接続された往き側と戻り側とを対とする湯水接続口であって、外部からの湯水循環用配管が接続される複数対の湯水接続口が設けられ、複数対の湯水接続口は、外装ケースの異なる複数の面に設けられたので、外装ケースの複数方向への配管接続が可能となり、ヒートポンプ式熱源機の連結作業を容易に行うことができる。
【００１３】
また、複数台のヒートポンプ式熱源機を並列状に相互に連結する場合、外装ケースの湯水接続口が設けられた面同士を対向状に配置することで、特別な形状の配管モジュールを使用せずに、既存の配管を介して隣接するヒートポンプ式熱源機とを相互に連結することができ、故に、配管モジュールが必要な場合と比較して、施工工数と部品点数を低減することができるので、設備コストを低減することができる。
【００１４】
請求項２の発明によれば、外装ケースは直方体状に構成され、異なる複数の面は、少なくとも外装ケースの左右の側面であるので、複数台のヒートポンプ式熱源機を左右方向（水平方向）に配置し且つ並列状に連結した大能力の給湯システムを構築することができる。
【００１５】
請求項３の発明によれば、湯水接続口は、少なくとも２以上の直交する方向に対して突出した複数の分岐接続口を備えたので、外装ケースの１つの側面に対して複数方向への配管接続が可能となり、連結作業を容易に行うことができる。また、複数台のヒートポンプ式熱源機の配置位置及びそれらを相互に連結する配管の配置位置に応じて分岐接続口を適宜選択可能になるので、複数台のヒートポンプ式熱源機の配置位置及び配管の配置位置の自由度が向上する。
【図面の簡単な説明】
【００１６】
【図１】実施例１に係る複数台のヒートポンプ式熱源機を含む給湯システムの概略構成図である。
【図２】外装ケースと複数対の湯水接続口の斜視図である。
【図３】外装ケースの内部における湯水加熱用熱交換器と湯水循環用配管の概略回路図である。
【図４】左右方向に配置され且つ相互に連結された複数台のヒートポンプ式熱源機の斜視図である。
【図５】図４の概略回路図である。
【図６】実施例２に係る上下方向に配置され且つ相互に連結された複数台のヒートポンプ式熱源機の斜視図である。
【図７】図６の概略回路図である。
【図８】実施例３に係る２行２列のマトリックス状に配置され且つ相互に連結された複数台のヒートポンプ式熱源機の斜視図である。
【図９】図８の概略回路図である。
【図１０】部分変更形態に係る外装ケースと複数対の湯水接続口の斜視図である。
【発明を実施するための形態】
【００１７】
以下、本発明を実施するための形態について実施例に基づいて説明する。
【実施例１】
【００１８】
本実施例は、各種建物に使用される給湯システム１に本発明のヒートポンプ式熱源機１１が組み込まれている場合の例である。
図１に示すように、この給湯システム１は、大容量の湯水を貯留可能な貯湯タンクユニット２と、この貯湯タンクユニット２から循環される湯水を加熱可能な熱源機ユニット３と、貯湯タンクユニット２と熱源機ユニット３との間に湯水を循環させる為の湯水循環用配管４とを備えている。
【００１９】
先ずは、貯湯タンクユニット２の概略について簡単に説明する。
図１に示すように、貯湯タンクユニット２は、大容量の貯湯タンク５と、給水用配管６、出湯用配管７、混合弁８、外装ケース９等を備えている。貯湯タンク５は、熱源機ユニット３で加熱された高温の温水を貯留するものであり、耐腐食性に優れたステンレス製の板材で構成されている。尚、本実施例では、１台の大容量の貯湯タンク５を設置しているが、特に１台に限らず、要求される貯湯量に応じて複数台の貯湯タンクを設置しても良い。
【００２０】
貯湯タンク５の下端部には、上水源に接続された給水用配管６が接続され、貯湯タンク５の上端部には、給湯栓に接続された出湯用配管７が接続されている。出湯用配管７の途中部には、混合弁８が設置され、給水用配管６の途中部から分岐する分岐配管６ａが混合弁８に接続されている。給湯時には、貯湯タンク５内の高温の温水を出湯用配管７に出湯可能であり、混合弁８を介して水と高温の湯水が混合された混合湯水を出湯可能である。
【００２１】
次に、熱源機ユニット３について説明する。
図１に示すように、熱源機ユニット３は、複数台のヒートポンプ式熱源機１１が並列的に連結されて構成されている。複数台のヒートポンプ式熱源機１１の配置及びこれらヒートポンプ式熱源機１１を相互に連結する配管連結構造については後述する。尚、各ヒートポンプ式熱源機１１は、基本的に同じ構造を有するものなので、以下では、１つのヒートポンプ式熱源機１１について説明する。
【００２２】
図１に示すように、ヒートポンプ式熱源機１１は、蒸発熱交換器としての外気熱吸収用熱交換器１２と、圧縮機１３と、凝縮器としての湯水加熱用熱交換器１４と、高圧の冷媒を急膨張させて温度と圧力を下げる膨張弁１５とを有し、これら機器が冷媒配管１６を介して接続されヒートポンプ回路を構成し、冷媒配管１６に収容された冷媒を循環させて加熱運転を行う。
【００２３】
ヒートポンプ式熱源機１１は、さらに送風モータ１７ａで駆動される蒸発器用の送風ファン１７と、貯湯タンクユニット２側の主制御ユニット（図示略）に接続され且つヒートポンプ式熱源機１１を制御する補助制御ユニット１８と、これらを収納する外装ケース１９などを備えている。
【００２４】
外気熱吸収用熱交換器１２は、冷媒配管１６に含まれる蒸発器通路部１２ａを有し、この蒸発器通路部１２ａは複数のフィンを有し、この外気熱吸収用熱交換器１２において、蒸発器通路部１２ａを流れる冷媒と外気との間で熱交換され、冷媒は外気から吸熱して気化する。
【００２５】
湯水加熱用熱交換器１４は、冷媒配管１６の一部である内部通路１４ａと熱交換器通路部１４ｂとを有し、この内部通路１４ａは、例えば銅管で形成されている。この湯水加熱用熱交換器１４において、内部通路１４ａを流れる冷媒と循環用配管４の往き側循環用配管２１から熱交換器通路部１４ｂに供給される湯水との間で熱交換され、湯水は加熱され冷媒は冷却され液化する。
【００２６】
圧縮機１３は、気相状態の冷媒を断熱圧縮して温度上昇させる公知の密閉型圧縮機である。膨張弁１５は液相状態の冷媒を断熱膨張させ温度低下させる。この膨張弁１５は絞り量が可変な制御弁からなる。尚、膨張弁１５の代わりに絞り量が一定の膨張弁を採用してもよい。
【００２７】
次に、湯水循環用配管４について説明する。
図１に示すように、湯水循環用配管４は、貯湯タンク５内に貯留された湯水が循環する通路であり、往き側循環用配管２１と、戻り側循環用配管２２とを有している。往き側循環用配管２１において、貯湯タンクユニット２内の往き側貯湯内配管２３ａの上流端が、貯湯タンク５の下端部に接続され、往き側貯湯内配管２３ａの下流端が、貯湯タンクユニット２の外装ケース９の接続口９ａを介して往き側ケース外配管２４ａの上流端に接続されている。往き側ケース外配管２４ａの下流端は、熱源機ユニット３側の外装ケース１９の往き側の湯水接続口３０ａを介して往き側熱源機横断配管２５の上流端に接続されている。
【００２８】
往き側熱源機横断配管２５は、各ヒートポンプ式熱源機１１に横断状（縦断状）に延び、この往き側熱源機横断配管２５から各ヒートポンプ式熱源機１１に応じて複数の往き側熱交換器配管２６ａが分岐されている。各往き側熱交換器配管２６ａの下流端は、対応するヒートポンプ式熱源機１１の湯水加熱用熱交換器１４の熱交換器通路部１４ｂの上流端に夫々接続されている。
【００２９】
戻り側循環用配管２２において、各ヒートポンプ式熱源機１１の湯水加熱用熱交換器１４の熱交換器通路部１４ｂの下流端から戻り側熱交換器配管２６ｂが夫々延び、これら複数の戻り側熱交換器配管２６ｂの下流端は、各ヒートポンプ式熱源機１１に横断状（縦断状）に延びる戻り側熱源機横断配管２７に接続されている。
【００３０】
尚、往き側熱源機横断配管２５と戻り側熱源機横断配管２７は、各外装ケース１９の内部の複数対の外装ケース内配管２８ａ，２８ｂと、各隣接する外装ケース１９同士間を連結する複数対の外装ケース外配管２９ａ，２９ｂとを夫々有し、外装ケース内配管２８ａ，２８ｂと外装ケース外配管２９ａ，２９ｂとの間は、外装ケース１９に設けられた後述する湯水接続口３０ａ，３０ｂを介して夫々接続されている。
【００３１】
戻り側熱源機横断配管２７の下流端は、外装ケース１９の戻り側の湯水接続口３０ｂを介して戻り側ケース外配管２４ｂの上流端に接続され、戻り側ケース外配管２４ｂの下流端は、貯湯タンクユニット２側の外装ケース９の接続口９ｂを介して、戻り側貯湯内配管２３ｂの上流端に接続され、戻り側貯湯内配管２３ｂの下流端は、貯湯タンク５の上端部に接続されている。
【００３２】
このように、ヒートポンプ式熱源機１１の圧縮機１３により高圧に圧縮された加熱状態の冷媒は、湯水加熱用熱交換器１４に送られ、液送ポンプ２０の駆動により貯湯タンク５の下端部から往き側循環用配管２１を経て熱交換器通路部１４ｂに流入した温水（貯留水）又は水と熱交換してその温水又は水を暖め、加熱された湯水（例えば、８０〜９０℃）が戻り側循環用配管２２を通って貯湯タンクユニット２の貯湯タンク５に貯留され、ヒートポンプ式熱源機１１を経由する加熱動作を繰り返すことで貯湯タンク５に高温の温水が貯留される。
【００３３】
次に、複数対の湯水接続口３０ａ，３０ｂについて説明する。
図１〜図３に示すように、外装ケース１９は、薄鋼板製の直方体状の箱状に構成され、左右１対の側板３１，３２と、前側板３３と、後側板３４と、天板３５と、底板３６とを備え、この外装ケース１９に、湯水加熱用熱交換器１４に接続された往き側と戻り側とを対とする湯水接続口３０ａ，３０ｂであって、外部からの湯水循環用配管４が選択的に接続可能な複数対の湯水接続口３０ａ，３０ｂが設けられている。
【００３４】
図２に示すように、複数対の湯水接続口３０ａ，３０ｂは、湯水循環用配管４の往き側に対応する湯水接続口３１ａ〜３５ａと、湯水循環用配管４の戻り側に対応する湯水接続口３１ｂ〜３５ｂとを有し、外装ケース１９の異なる複数の面に設けられている。
【００３５】
即ち、外装ケース１９の前側板３３を除く、左側板３１に１対の湯水接続口３１ａ，３１ｂが設けられ、右側板３２に１対の湯水接続口３２ａ，３２ｂが設けられ、後側板３４に１対の湯水接続口３４ａ，３４ｂが設けられ、天板３５に１対の湯水接続口３５ａ，３５ｂが設けられ、底板３６に１対の湯水接続口３６ａ，３６ｂが設けられている。
【００３６】
往き側の湯水接続口３０ａ（３１ａ〜３５ａ）及び戻り側の湯水接続口３０ｂ（３１ｂ〜３５ｂ）の各々は、ヒートポンプ式熱源機１１外の配管部分とヒートポンプ式熱源機１１内の配管部分とを接続する為のものであり、ユニオン継手の構造を備えている。各湯水接続口３０ａ，３０ｂは、水抜き栓（図示略）を備えている。尚、配管が接続されない湯水接続口３０ａ，３０ｂは、各種配管の内部の流路を塞ぐ為の盲蓋又はプラグで閉鎖される。
【００３７】
図３に示すように、複数の往き側の湯水接続口３１ａ〜３５ａは、外装ケース１９の内部において対応する複数の往き側枝配管３７に夫々接続され、これら複数の往き側枝配管３７は合流して往き側熱交換器配管２６ａに接続され、湯水加熱用熱交換器１４の熱交換器通路部１４ｂの上流端に接続されている。つまり、図１に示す例では、往き側熱源機横断配管２５の外装ケース内配管２８ａは、図３に示す複数の往き側枝配管３７のうちから、使用される湯水接続口３１ａ〜３５ａに対応した２本の往き側枝配管３７から構成される。
【００３８】
また同様に、複数の戻り側の湯水接続口３１ｂ〜３５ｂは、外装ケース１９の内部において対応する複数の戻り側枝配管３８に夫々接続され、これら複数の戻り側枝配管３８は合流して戻り側熱交換器配管２６ｂに接続され、湯水加熱用熱交換器１４の熱交換器通路部１４ｂの下流端に接続されている。つまり、図１に示す例では、戻り側熱源機横断配管２７の外装ケース内配管２８ｂは、図３に示す複数の戻り側枝配管３８のうちから、使用される湯水接続口３１ｂ〜３５ｂに対応した２本の戻り側枝配管３８から構成される。
【００３９】
尚、貯湯タンクユニット２と熱源機ユニット３との間を接続する往き側ケース外配管２４ａ及び戻り側ケース外配管２４ｂと、外装ケース外配管２９ａ，２９ｂは、表面が蛇腹状に形成された可撓性を有するステンレス製の管状部材で構成された、所謂、フレキシブル管で構成され、設置箇所に応じて適当な長さに調整されている。これらフレキシブル管の両端部には、湯水接続口に容易に取り外し可能な継手が夫々設けられている。
【００４０】
外装ケース外配管２９ａ，２９ｂは、各隣接する外装ケース１９の往き側の湯水接続口３０ａ同士及び戻り側の湯水接続口３０ｂ同士を接続するもので、これら外装ケース外配管２９ａ，２９ｂで接続することで、複数の外装ケース内配管２８ａ，２８ｂを含む往き側熱源機横断配管２５及び戻り側熱源機横断配管２７を構成している。
【００４１】
次に、複数台のヒートポンプ式熱源機１１の配置及びこれらヒートポンプ式熱源機１１を相互に連結する配管連結構造について説明する。
図４，図５に示すように、熱源機ユニット３において、複数台（例えば、３台）のヒートポンプ式熱源機１１が、水平方向に直列状に配置され、湯水循環用配管４の往き側ケース外配管２４ａの下流端と戻り側ケース外配管２４ｂの上流端が、最も貯湯タンクユニット２側に配置された外装ケース１９の右側板３２の１対の湯水接続口３２ａ，３２ｂに夫々接続されている。
【００４２】
この複数台のヒートポンプ式熱源機１１を相互に連結する配管連結構造は、各左右方向に隣接する外装ケース１９同士間において、左側板３１の１対の湯水接続口３１ａ，３１ｂが、１対の外装ケース外配管２９ａ，２９ｂを介して隣接する右側板３２の１対の湯水接続口３２ａ，３２ｂに夫々連結された構造である。
【００４３】
尚、図５に示すように、各ヒートポンプ式熱源機１１の往き側熱交換器配管２６ａの途中部には、能力調整用開閉弁３９が設置されているが、この能力調整用開閉弁３９は省略可能である。図４，図５では特に図示は省略するが、配管が接続されない複数対の湯水接続口３０ａ，３０ｂは、各種枝配管３７，３８の内部の流路を塞ぐ為の盲蓋又はプラグで閉鎖されている。
【００４４】
次に、本発明のヒートポンプ式熱源機１１の作用及び効果について説明する。
商業施設、ホテルや総合病院等の各種建物に使用される給湯システム１の熱源機ユニット３を構築するために、所望の給湯能力に応じてヒートポンプ式熱源機１１の設置数を算出し、この算出結果に基づいた複数台のヒートポンプ式熱源機１１を設置箇所に搬入し、例えば、図４，図５に示すように左右方向（水平方向）に直線状に配置する。
【００４５】
次に、貯湯タンクユニット２側から延びる湯水循環用配管４の往き側ケース外配管２４ａと戻り側ケース外配管２４ｂの端部を、最も貯湯タンクユニット２側に配置された外装ケース１９の右側板３２の１対の湯水接続口３２ａ，３２ｂに夫々接続する。
【００４６】
次に、複数台のヒートポンプ式熱源機１１を相互に連結する為に、各外装ケース１９の左側板３１の１対の湯水接続口３１ａ，３１ｂと隣接する右側板３２の１対の湯水接続口３０ａ，３０ｂとを、１対の外装ケース外配管２９ａ，２９ｂを介して順に接続する。貯湯タンクユニット２側とは反対側の終端のヒートポンプ式熱源機１１においては、左側板３１の１対の湯水接続口３１ａ，３１ｂは盲蓋又はプラグにより塞がれる。さらに、使用されない湯水接続口３０ａ，３０ｂにも同様に、盲蓋又はプラグにより塞ぎ、複数台のヒートポンプ式熱源機１１を相互に連結した状態にする
【００４７】
このように、外装ケース１９に、湯水加熱用熱交換器１４に接続された往き側と戻り側とを対とする湯水接続口３０ａ，３０ｂであって、外部からの湯水循環用配管４が接続される複数対の湯水接続口３０ａ，３０ｂが設けられ、複数対の湯水接続口３０ａ，３０ｂは、外装ケース１９の異なる複数の面に設けられたので、外装ケース１９の複数方向への配管接続が可能となり、ヒートポンプ式熱源機１１の連結作業を容易に行うことができる。
【００４８】
また、複数台のヒートポンプ式熱源機１１を並列状に相互に連結する場合、外装ケース１９の湯水接続口３０ａ，３０ｂが設けられた面同士を対向状に配置することで、特別な形状の配管モジュールを使用せずに、既存の配管（外装ケース外配管２９ａ，２９ｂ）を介して隣接するヒートポンプ式熱源機１１とを相互に連結することができ、故に、配管モジュールが必要な場合と比較して、施工工数と部品点数を低減することができるので、設備コストを低減することができる。
【００４９】
さらに、外装ケース１９は直方体状に構成され、異なる複数の面は、少なくとも外装ケース１９の左右の側面あるので、複数台のヒートポンプ式熱源機１１を左右方向（水平方向）に配置し且つ並列状に連結した大能力の給湯システム１を構築することができる。
【実施例２】
【００５０】
次に、実施例１の複数台のヒートポンプ式熱源機１１の配置構造とそれに伴う配管連結構造を部分的に変更した実施例２について説明する。尚、実施例１では、複数台のヒートポンプ式熱源機１１は左右方向に配置されているが、実施例２では、複数台のヒートポンプ式熱源機１１は上下方向に配置されている。
【００５１】
図６，図７に示すように、熱源機ユニット３Ａにおいて、複数台（例えば、３台）のヒートポンプ式熱源機１１が、上下方向（鉛直方向）に直列状に配置され、湯水循環用配管４の往き側ケース外配管２４ａの下流端と戻り側ケース外配管２４ｂの上流端が、最も貯湯タンクユニット２側に近い外装ケース１９の天板３５の１対の湯水接続口３５ａ，３５ｂに夫々接続されている。
【００５２】
複数台のヒートポンプ式熱源機１１を相互に連結する配管連結構造は、各隣接する外装ケース１９同士間において、底板３６の１対の湯水接続口３６ａ，３６ｂが、１対の外装ケース外配管２９ａ，２９ｂを介して上下方向に隣接する天板３５の１対の湯水接続口３５ａ，３５ｂに夫々連結された構造である。
【００５３】
尚、各隣接する外装ケース１９同士間にはスペーサ４１が夫々設けられ、複数台のヒートポンプ式熱源機１１を鉛直方向に支持している。図６，図７では特に図示は省略するが、配管が接続されない湯水接続口３０ａ，３０ｂは、各種枝配管３７，３８の内部の流路を塞ぐ為の盲蓋又はプラグで閉鎖されている。実施例２の構造によれば、複数台のヒートポンプ式熱源機１１を上下方向（鉛直方向）に配置し且つ並列状に連結した大能力の給湯システム１を構築することができる。その他の構成、作用及び効果は、実施例１と同様であるので説明は省略する。
【実施例３】
【００５４】
次に、実施例１の複数台のヒートポンプ式熱源機１１の配置構造とそれに伴う配管連結構造を部分的に変更した実施例３について説明する。実施例１，２では、複数台のヒートポンプ式熱源機１１は、左右方向又は上下方向に直線状に配置されているが、実施例３では、複数台のヒートポンプ式熱源機１１は四角形状に配置されている。
【００５５】
図８，図９に示すように、熱源機ユニット３Ｂにおいて、複数台（例えば、４台）のヒートポンプ式熱源機１１が、２行２列のマトリックス状（四角形状）に配置されている。前後方向に隣接する２台のヒートポンプ式熱源機１１は、互いの後側板３４が対向状になるように配置される。湯水循環用配管４の往き側ケース外配管２４ａの下流端が、最も貯湯タンクユニット２側に近い外装ケース１９のうちの一方の右側板３２の往き側湯水接続口３２ａに接続され、湯水循環用配管４の戻り側ケース外配管２４ｂの上流端が、最も貯湯タンクユニット２側に近い外装ケース１９のうちの他方の左側板３１の往き側湯水接続口３１ｂに接続されている。
【００５６】
この複数台のヒートポンプ式熱源機１１を連結する配管連結構造は、左右方向に隣接する外装ケース１９の間においては、左側板３１（又は右側板３２）の１対の湯水接続口３１ａ，３１ｂ（又は３２ａ，３２ｂ）が、１対の外装ケース外配管２９ａ，２９ｂを介して隣接する右側板３２（又は左側板３１）の１対の湯水接続口３２ａ，３２ｂ（又は３１ａ，３１ｂ）に夫々連結され、貯湯タンクユニット２側の外装ケース１９とは反対側の前後方向に対向する外装ケース１９の間においては、後側板３４の１対の湯水接続口３４ａ，３４ｂ同士が、１対の外装ケース外配管２９ａ，２９ｂを介して夫々連結された構造である。
【００５７】
尚、図８，図９では特に図示は省略するが、配管が接続されない湯水接続口３０ａ，３０ｂには、各種枝配管２７，２８の内部の流路を塞ぐ為の盲蓋又はプラグで閉鎖されている。実施例３の構造によれば、複数台のヒートポンプ式熱源機１１を２行２列のマトリックス状に配置し且つ並列状に連結した大能力の給湯システム１を構築することができる。その他の構成、作用及び効果は、実施例１と同様であるので説明は省略する。
【００５８】
次に、前記実施例を部分的に変更した形態について説明する。
［１］前記実施例１〜３において、図１０に示すように、複数対の湯水接続口５０ａ，５０ｂの各々は、少なくとも２以上の直交する方向に対して突出した複数の分岐接続口５１を備えた構造であっても良い。即ち、分岐接続口５１は、外装ケース１９の側板から垂直方向に夫々延びる湯水接続口５０ａ，５０ｂから互いに直交状に４方向に突出して形成されている。
【００５９】
この構造によれば、湯水接続口５０ａ，５０ｂは、少なくとも２以上の直交する方向に対して突出した複数の分岐接続口５１を備えたので、外装ケース１９の１つの側面に対して複数方向への配管接続が可能となり、連結作業を容易に行うことができる。また、複数台のヒートポンプ式熱源機１１の配置位置及びそれらを相互に連結する配管の配置位置に応じて分岐接続口５１を適宜選択可能になるので、複数台のヒートポンプ式熱源機１１の配置位置及び配管の配置位置の自由度が向上する。
【００６０】
［２］前記実施例１〜３において、複数対の湯水接続口３０ａ，３０ｂは、外装ケース１９の前側板３３を除く各側板３１，３２，３４，３５，３６に設けられているが、この構造に限定する必要はなく、少なくとも外装ケース１９の左右１対の側板３１，３２（左右の側面）に設けられた構造であれば良い。
【００６１】
［３］前記実施例１〜３の湯水接続口３０ａ，３０ｂの構造は、ユニオン継手を例にして説明したが、この構造に限定する必要はなく、外装ケース１９内の配管部分と外装ケース１９外の配管部分とが接続可能なものであれば、種々の構造が適用可能である。また、同様に、往き側ケース外配管２４ａ及び戻り側ケース外配管２４ｂと、複数の外装ケース外配管２９ａ，２９ｂは、フレキシブル管に限定する必要はなく、種々の管部材を適用可能である。
【００６２】
［４］前記実施例１〜３のヒートポンプ式熱源機１１の数や配置は、ほんの一例を示したに過ぎず、給湯システム１に対して要求される給湯能力に応じて、ヒートポンプ式熱源機１１の数や配置は適宜変更可能である。
【００６３】
［５］その他、当業者であれば、本発明の趣旨を逸脱することなく、前記実施例に種々の変更を付加した形態で実施可能であり、本発明はそのような変更形態を包含するものである。
【符号の説明】
【００６４】
４    湯水循環用配管
１１  ヒートポンプ式熱源機
１２  外気熱吸収用熱交換器（蒸発熱交換器）
１３  圧縮機
１４  湯水加熱用熱交換器
１５  膨張弁（膨張手段）
１６  冷媒配管
１９  外装ケース
３０ａ，３０ｂ  複数対の湯水接続口
３１ａ〜３５ａ  往き側の湯水接続口
３１ｂ〜３５ｂ  戻り側の湯水接続口
【図１】
2014047945.tif 000003
【図２】
2014047945.tif 000004
【図３】
2014047945.tif 000005
【図４】
2014047945.tif 000006
【図５】
2014047945.tif 000007
【図６】
2014047945.tif 000008
【図７】
2014047945.tif 000009
【図８】
2014047945.tif 000010
【図９】
2014047945.tif 000011
【図１０】
2014047945.tif 000012